(57)【特許請求の範囲】
【請求項１】
金属製の取付板と、
前記取付板の一端部側に配置されるＬＥＤユニットと、
前記取付板の他端部側に配置される電源ユニットと、
本体外側から内側に臨むように取り付けられる金属製のアームとを備え、
前記取付板は、前記アームに固定されており、
前記取付板は、アームに固定する固定部分が、一対の脚部と、前記一対の脚部を連結する連結部とによって断面コ字状に形成され、一方の前記脚部側に前記ＬＥＤユニットが設けられ、他方の前記脚部側に前記電源ユニットが設けられる道路用照明器具。
【発明の詳細な説明】
【技術分野】
【０００１】
本発明は、道路用照明器具に関する。
【背景技術】
【０００２】
従来、ＬＥＤ（LIGHT EMITTING DIODE）ユニットと、電源ユニットとを備える道路用照明器具が知られている（例えば、特許文献１、２参照）。従来の道路用照明器具は、ＬＥＤユニットと、電源ユニットとが、照明器具本体に別々に取り付けられていた。
【先行技術文献】
【特許文献】
【０００３】
【特許文献１】特開平２−１４８５０４号公報（第１図、２頁左上蘭〜同頁左下欄）
【特許文献２】特開２００９−１５２１６９号公報（図１、段落００４０、００４１、００９７）
【発明の概要】
【発明が解決しようとする課題】
【０００４】
しかしながら、従来の道路用照明器具は、ＬＥＤユニットと、電源ユニットとが、照明器具本体に別々に取り付けられていたので、ＬＥＤユニットと電源ユニットとを照明器具本体に取り付ける場合、或いはＬＥＤユニットと電源ユニットとを交換をする場合、ＬＥＤユニットと電源ユニットとをそれぞれ別々に取り付け、又は交換しなければならず、作業が面倒であった。また、ＬＥＤユニットおよび電源ユニットで発生した熱を、効果的に排熱するのが困難になるという問題があった。
【０００５】
本発明は、前述した課題を解決するためになされたものであり、その目的は、ＬＥＤユニットおよび電源ユニットの取り付け、および交換を容易にでき、かつ効果的に排熱できる道路用照明器具を提供することにある。
【課題を解決するための手段】
【０００６】
本発明に係る道路用照明器具は、金属製の取付板と、前記取付板の一端部側に配置されるＬＥＤユニットと、前記取付板の他端部側に配置される電源ユニットと、本体外側から内側に臨むように取り付けられる金属製のアームとを備え、前記取付板は、前記アームに固定されており、前記取付板は、アームに固定する固定部分が、一対の脚部と、前記一対の脚部を連結する連結部とによって断面コ字状に形成され、一方の前記脚部側に前記ＬＥＤユニットが設けられ、他方の前記脚部側に前記電源ユニットが設けられる。
【発明の効果】
【０００８】
本発明の道路用照明器具によれば、ＬＥＤユニットと電源ユニットとが一体型の点灯ユニットとなり、照明器具本体への取り付け、および交換が容易になる。また、ＬＥＤユニットおよび電源ユニットで発生した熱が、取付板を経由しアームへと移り、器具外へ排熱されることにより、効果的に排熱できる。
【図面の簡単な説明】
【０００９】
【図１】本発明に係る実施形態の道路用照明器具の断面図
【図２】本発明に係る実施形態の道路用照明器具の斜視図
【図３】本発明に係る実施形態の取付板、ＬＥＤユニット、および電源ユニットを示す側面図
【図４】本発明に係る実施形態の取付板、ＬＥＤユニット、および電源ユニットを示す下面図
【発明を実施するための形態】
【００１０】
以下、本発明の実施形態に係る道路用照明器具について、図面を参照して説明する。
図１および図２は、本発明の実施形態に係る道路用照明器具１を示す。この道路用照明器具１は、金属製の取付板１１と、この取付板１１の一端部側（一端面）に配置されるＬＥＤ（LIGHT EMITTING DIODE）ユニット１２と、取付板１１の他端部側（他端面）に配置される電源ユニット１３と、道路用照明器具１の本体外側から内側に臨むように取り付けられる金属製のアーム１４とを備えている。
【００１１】
次に、上記各構成要素について説明する。取付板１１は、図３に示すように、板材で長尺に形成され、その一端部側（本実施形態では図３中の右端部側）に、アーム１４に固定する固定部分１５が設けられている。
【００１２】
この固定部分１５は、一対の脚部１６、１６、および一対の脚部１６、１６におけるそれぞれの一端を連結する連結部１７によって断面コ字状に形成されている。本実施形態では、固定部分１５のコ字状の開口が下方に向けられ、一対の脚部１６、１６が長手方向に並列配置されている。取付板１１をアーム１４に取付ける際には、固定部分１５の連結部１７をアーム１４に固定する。なお、取付板１１における固定部分１５以外の部分も、支持部材等を介してアーム１４に取り付けできる。
【００１３】
固定部分１５における一対の脚部１６、１６のそれぞれの外側面側には、脚部１６における連結部１７の反対の端部から外側方に延びる第１保持部１８、および第２保持部１９が設けられている。本実施形態では、第２保持部１９が第１保持部１８より、相当長く形成されている。
【００１４】
長い方の第２保持部１９は、下方に向けて凹となるように、幅方向において湾曲形成されている。この第２保持部１９の下側には、ＬＥＤユニット１２が設けられている。また、短い方の第１保持部１８の上側には、電源ユニット１３が設けられている。電源ユニット１３は、固定部分１５の脚部１６の外側面と、第１保持部１８の上面とに当接させて取り付けられている。また、ＬＥＤユニット１２は、図４に示すように、長尺な支持板２０と、この支持板２０上に互いに適宜な間隔を開けて配置された複数のＬＥＤランプ２１とを有している。
【００１５】
本実施形態の道路用照明器具１によれば、ＬＥＤユニット１２と電源ユニット１３とが、取付板１１によって一体型の点灯ユニットとして構成されるので、ＬＥＤユニット１２および電源ユニット１３の取り付け、および交換が容易になる。
【００１６】
また、ＬＥＤユニット１２および電源ユニット１３で発生した熱が、金属製の取付板１１を経由してアーム１４へと移り、道路用照明器具１外へ排熱されることにより、排熱が効果的に行われる。
【００１７】
また、取付板１１は、アーム１４に固定する固定部分１５を有し、この固定部分１５が一対の脚部１６、１６および連結部１７によって断面コ字状に形成され、固定部分１５の一方の脚部１６における外側面側にＬＥＤユニット１２が設けられ、他方の脚部１６における外側面側に電源ユニット１３が設けられていることにより、ＬＥＤユニット１２と電源ユニット１３との間にある程度の間隔を設けることができる。従って、ＬＥＤユニット１２および電源ユニット１３で発生した熱が集中するのを防止できる。
【００１８】
更に、取付板１１の固定部分１５における連結部１７をアーム１４に取り付けることにより、取付板１１を簡単に取り付けおよび交換できる。
【符号の説明】
【００１９】
１  道路用照明器具
１１  取付板
１２  ＬＥＤユニット
１３  電源ユニット
１４  アーム
１５  固定部分
１６  脚部
１７  連結部
１８  第１保持部
１９  第２保持部
２０  支持板
２１  ＬＥＤランプ
【図１】
0005534941.tif 000002
【図２】
0005534941.tif 000003
【図３】
0005534941.tif 000004
【図４】
0005534941.tif 000005